(57)【特許請求の範囲】
【請求項１】
折り畳み用の折り部を有する第１の用紙と、前記折り部で区分けされる一方の用紙片上に重ね合わされ接着されている第２の用紙と、からなる印刷物であって、
前記第２の用紙は、前記第２の用紙内の所定領域部の外形部分に沿って、その一部を除いて囲い込む状態で切り込まれた切り込み部と、前記所定領域部の外形部分に沿って、その一部において前記第２の用紙内で連接されている連接部と、を有し、
前記連接部が、前記所定領域部に対して前記折り部側に設けられ、
前記第２の用紙の前記所定領域部の裏面は、前記第１の用紙と接着されていない状態で重ね合わされ、
前記第２の用紙の前記所定領域部には、分離対象物の一辺の一部となる切り取り用ミシンが、前記連接部から所定間隔をあけて形成され、前記連接部から前記切り取り用ミシンまでの間の領域に剥離可能な接着領域が設けられ、
前記折り畳み用の折り部から前記第１の用紙を折り畳んだ際に、前記第２の用紙の前記剥離可能な接着領域部分と重なり合う前記第１の用紙上の領域に、接着後に剥離可能な接着剤が設けられていることを特徴とする印刷物。
【請求項２】
前記第２の用紙の前記所定領域部における分離対象物が、葉書、カード、クーポン券、チケット、のいずれかであることを特徴とする請求項１記載の印刷物。
【請求項３】
前記連接部が、ミシン目で形成されていることを特徴とする請求項１または請求項２記載の印刷物。
【請求項４】
前記第２の用紙が、前記第１の用紙の一部を折り返して前記第１の用紙上に重ね合わされた用紙であり、該用紙が剥離可能な接着剤により接着されていることを特徴とする請求項１から請求項３のいずれか一項記載の印刷物。
【請求項５】
前記第２の用紙上に、該第２の用紙と同じサイズの用紙が重ね合わされ接着され、前記第２の用紙に形成されている前記切り込み部及び前記切り取り用ミシンと重なり合う部分に切り込み部及び切り取り用ミシンが形成されていることを特徴とする請求項１から請求項４のいずれか一項記載の印刷物。
【請求項６】
前記第１の用紙の前記折り部で区分けされる他方の用紙片において、前記他方の用紙片の前記折り部側を除く外周縁部に、剥離可能な接着剤が設けられていることを特徴とする請求項１から請求項５のいずれか一項記載の印刷物。
【発明の詳細な説明】
【技術分野】
【０００１】
本発明は、用紙を折り畳んだ状態で使用する印刷物であって、特に印刷用紙の一部分を分離させて葉書、カード、クーポン券、チケット、などの用途に用いることができるようにした印刷物に関する。
【０００２】
従来、例えば広告用印刷物などにおいて、その印刷用紙の一部分に葉書部を設けておき、顧客がその広告内容に興味を持つなどした場合には、その葉書部を切り取ったりして、葉書を用いて申し込みを行なえるようにしたものが知られている。
【０００３】
このような葉書部を有する印刷物としては、印刷用紙の一部分を葉書部として、この葉書部の周囲に切り取り線や切り取りミシン目を形成させておく構成のもの（例えば、特許文献１、参照）や、印刷用紙の一部分を葉書部としておき、その葉書部の周囲に切り込みを形成させておくと共に、葉書部の裏面側と、葉書部の下側に重ね合わせた用紙の表面側と、を剥離可能に接着させた構成のもの（例えば、特許文献２，３、参照）などが既に公知となっている。
【０００４】
しかしながら、上記した従来の印刷物には、種々の問題がある。
まず、葉書部の周囲に切り取り線や切り取りミシン目を形成させておく構成のものは、用紙から葉書部をハサミで切り取るという手間がかかり、面倒であり、また、切り取りミシン目から葉書部を切り取った場合には、葉書部の周囲に切り取った跡がギザギザな状態で残って体裁が悪いなどの問題がある。
【０００５】
また、葉書部の周囲に切り込みを形成させ、葉書部の裏面側で、その下側に重ねられている用紙上面と剥離可能な接着剤で仮接着させる構成のものでは、葉書部の裏面に剥離可能な接着剤が付着された状態のままで、葉書として郵送される場合もあり、郵送処理の際に他の葉書が付着して、機械的な処理の際でも支障が生じたり、また他の葉書が密着した状態で配達された場合には、葉書が正確な宛先に配達されないという危険性もあり問題である。
【先行技術文献】
【特許文献】
【０００６】
【特許文献１】実用新案登録第３０９６９１０号公報
【特許文献２】特開２００５−２３８５０３号公報
【特許文献３】特開２００６−２９７６８７号公報
【発明の概要】
【発明が解決しようとする課題】
【０００７】
そこで、本発明は、印刷用紙の一部分を分離させて葉書、カード、クーポン券、チケット、などの用途に用いることができるようにした印刷物において、その印刷物の受取人にその分離させるための部分存在に気づかせることができ、その分離させるための部分を取り出す際にも手間をかけることなく簡単に取り出すことができ、更に、その分離させるための部分の裏面側には、接着剤を一切使用しない構成として、接着剤のベタツキや糊の汚れ、インキの汚れ、などを防止し、更に分離させるための部分を、葉書として郵送処理される場合でも他の葉書が裏面に付着したり、郵送処理に支障が生じないように構成した印刷物を提供する。
【課題を解決するための手段】
【０００８】
本発明の印刷物は、折り畳み用の折り部を有する第１の用紙と、前記折り部で区分けされる一方の用紙片上に重ね合わされ接着されている第２の用紙と、からなる印刷物であって、前記第２の用紙は、前記第２の用紙内の所定領域部の外形部分に沿って、その一部を除いて囲い込む状態で切り込まれた切り込み部と、前記所定領域部の外形部分に沿って、その一部において前記第２の用紙内で連接されている連接部と、を有し、前記連接部が、前記所定領域部に対して前記折り部側に設けられ、前記第２の用紙の前記所定領域部の裏面は、前記第１の用紙と接着されていない状態で重ね合わされ、前記第２の用紙の前記所定領域部には、分離対象物の一辺の一部となる切り取り用ミシンが、前記連接部から所定間隔をあけて形成され、前記連接部から前記切り取り用ミシンまでの間の領域に剥離可能な接着領域が設けられ、前記折り畳み用の折り部から前記第１の用紙を折り畳んだ際に、前記第２の用紙の前記剥離可能な接着領域部分と重なり合う前記第１の用紙上の領域に、接着後に剥離可能な接着剤が設けられていることを特徴とする。
【０００９】
また、本発明の印刷物は、前記第２の用紙の前記所定領域部における分離対象物が、葉書、カード、クーポン券、チケット、のいずれかであることを特徴とする。
【００１０】
更に、本発明の印刷物は、前記連接部が、ミシン目で形成されていることを特徴とする。
【００１１】
また、本発明の印刷物は、前記第２の用紙が、前記第１の用紙の一部を折り返して前記第１の用紙上に重ね合わされた用紙であり、該用紙が剥離可能な接着剤により接着されていることを特徴とする。
【００１２】
更に、本発明の印刷物は、前記第２の用紙上に、該第２の用紙と同じサイズの用紙が重ね合わされ接着され、前記第２の用紙に形成されている前記切り込み部及び前記切り取り用ミシンと重なり合う部分に切り込み部及び切り取り用ミシンが形成されていることを特徴とする。
【００１３】
また、本発明の印刷物は、前記第１の用紙の前記折り部で区分けされる他方の用紙片において、前記他方の用紙片の前記折り部側を除く外周縁部に、剥離可能な接着剤が設けられていることを特徴とする。
【発明の効果】
【００１４】
したがって、本発明の印刷物は、用紙の中から切り取り分離させるための所定領域部について、表面側や裏面側に一切接着剤を塗布させていないと共に、切り取りミシン目が形成されている部分も短い寸法であるので、分離させるための部分を取り出す際にも手間をかけることなく簡単に取り出すことができ、更に、その分離させるための部分の裏面側には、接着剤を一切使用しないので、接着剤のベタツキを防止することができるという効果がある。
また、特に、折り畳み用の折り部から第１の用紙を折り畳んだ際に、第２の用紙の剥離可能な接着領域と重なり合う第１の用紙上の領域に、接着後に剥離可能な接着剤が設けられているので、印刷物を開いた際に、自動的に所定領域部が上方側へ浮き上がる状態になるので、用紙を開いた人に対して直ぐに切り取り分離させるための所定領域部の存在を気づかせることができ、また、浮き上がった状態から簡単に切り取り分離させるための所定領域部を切り取ることができるという効果がある。
【００１５】
また、本発明の印刷物は、切り込み部と前記切り取りミシンとで囲まれている部分を葉書サイズの大きさとして、分離させるための部分を葉書として使用する場合でも、郵送処理の際に他の葉書が裏面に付着したりして、郵送処理に支障が生じることがないという効果がある。
【図面の簡単な説明】
【００１６】
【図１】本発明の第１実施形態の印刷物の平面図である。
【図２】図１のＡ−Ａ線断面図である。
【図３】本発明の第１実施形態の印刷物を２つに折り畳んだ状態の斜視図である。
【図４】本発明の第１実施形態の印刷物を２つに折り畳んだ後に、開いた状態を示す状態の斜視図である。
【図５】図４のＢ−Ｂ線断面図である。
【図６】本発明の第１実施形態の印刷物を２つに折り畳み、開いた後に所定領域部を切り取った状態を示す状態の斜視図である。
【図７】本発明の第２実施形態の印刷物の平面図である。
【図８】図７のＣ−Ｃ線断面図である。
【図９】本発明の第２実施形態の印刷物において、用紙片を別の用紙として重ねた場合の例を示す断面図である。
【図１０】本発明の第３実施形態の印刷物の平面図である。
【図１１】本発明の第３実施形態の印刷物を２つに折り畳み、開いた後に所定領域部を切り取った状態を示す状態の斜視図である。
【図１２】本発明の第４実施形態の印刷物の断面図である。
【図１３】本発明の第５実施形態の印刷物の断面図である。
【図１４】本発明の第６実施形態の印刷物の断面図である。
【発明を実施するための形態】
【００１７】
以下、本発明の実施形態に係る印刷物を図面に基づいて詳細に説明する。
まず、図１乃至図６に基づいて、本発明の第１実施形態に係る印刷物１Ａを以下に説明する。
図１に示すように、第１実施形態に係る印刷物１Ａは、折り畳み用の折り部２を有する第１の用紙３と、前記折り部２で区分けされる一方の用紙片３ａの上に重ね合わされ接着されている第２の用紙４と、からなる。
第２の用紙４は、前記第２の用紙４内の所定領域部５の外形部分に沿って、その一部を除いて囲い込む状態で切り込まれた切り込み部６と、前記所定領域部５の外形部分に沿って、その一部において前記第２の用紙４内で連接されている連接部７と、を有している。
この連接部７には、図１に示すように折り畳みをしやすくするために折り畳み用のミシン目を形成してもよいが、折り畳み用のミシン目を設けないでもよい。
尚、連接部７をミシン目で形成させた方が、折り曲げやすいことから、折り部２から２つ折りさせた第１の用紙３を開いた際に、第２の用紙４の剥離可能な接着領域９の部分を引き上げやすくなるという効果がある。
【００１８】
連接部７は、所定領域部５に対して折り部２側に設けられている。
また、第２の用紙４の所定領域部５の裏面は、第１の用紙３の上面側と接着されていない状態で重ね合わされている。
第２の用紙の所定領域部５には、連接部７から所定間隔をあけて切り取り用ミシン８が形成されている。
また、連接部７から切り取り用ミシン８までの間の接続領域には、剥離可能に接着するための領域９が設けられており、折り畳み用の折り部２から第１の用紙３を折り畳んだ際に、この剥離可能に接着するための領域９と重なり合う第１の用紙３の上面の領域に、接着後に剥離可能な接着剤１０が設けられている。
【００１９】
第２の用紙４の所定領域部５のうち、切り込み部６と切り取り用ミシン８とで囲まれている部分は、例えば、葉書、カード、クーポン券、チケット、など目的に応じて切り取って使用する媒体となる所望の大きさを有している。
尚、本発明の第１実施形態の説明では、切り込み部６と切り取り用ミシン８とで囲まれている部分の使用目的を、一例として葉書として説明するので、この所定領域部５のサイズについては、葉書サイズの大きさとするが、この切り込み部６と切り取り用ミシン８とで囲まれている部分は、印刷物の使用目的に応じて種々のサイズに設定すればよい。
【００２０】
第２の用紙４の裏面領域のうち、剥離可能な接着領域９を含む切り込み部６と連接部７とで囲まれている部分については、下側に重ねられている第１の用紙３と接着されていないが、それ以外の第２の用紙４の裏面領域には、剥離を目的としない接着剤１２が設けられて接着状態となっている。
【００２１】
第１の用紙３の折り部２で区分けされる他方の用紙片３ｂには、その前記他方の用紙片３ｂの折り部２側を除く外周縁部に、剥離可能な接着剤１１が設けられている。
この剥離可能な接着剤１１が設けられていることで、第１の用紙３を折り部２から２つ折りさせて、一時的に第１の用紙３の２つの用紙片３ａ，３ｂを接着状態にして、その後、２つの用紙片３ａ，３ｂのそれぞれの端部を摘んで左右方向に引っ張ることで、第１の用紙３を見開くことができるようにしてある。
【００２２】
図３には、第１の用紙３を折り部２から２つ折りさせて閉じられている状態が示されている。
本発明の印刷物を顧客などに郵送したり、配布する場合には、図３に示した状態で封筒に入れて郵送したり、また折り畳んだ状態でそのまま顧客などに配布する。
そして、その印刷物を受け取った顧客などが、第１の用紙３を見開いた際には、図４及び図５に示すように、連接部７から切り取り用ミシン８までの間の接続領域が剥離可能な接着領域９となっており、その剥離可能な接着領域９に第１の用紙３の上面の設けられた剥離可能な接着剤１０が接着状態となっていることから、第１の用紙３の用紙片３ｂの動きに連動して連接部７から切り取り用ミシン８までの間の接続領域部分も引っ張られることとなり、右側方向に浮き上がりながら移動することになる。
【００２３】
この際に、切り取り用ミシン８が設けられているので、第２の用紙の所定領域部５が、連接部７から切り取り用ミシン８までの間の接続領域部分から折れ曲りやすい状態となるような構成となっている。
そして、図６に示すように、第２の用紙の所定領域部５を切り取り用ミシン８から切り取ることで、所定領域部５を簡単に分離させて、葉書などとして使用することができる。
【００２４】
次に、図７及び図８に基づいて、本発明の第２実施形態に係る印刷物１Ｂを以下に説明する。
第２実施形態に係る印刷物１Ｂは、上記した第１実施形態に係る印刷物１Ａにおいて、第２の用紙が、第１の用紙の一部を折り返して第１の用紙上に重ね合わされた用紙であり、該用紙が剥離可能な接着剤により接着されている構成を有している。
第２実施形態に係る印刷物１Ｂは、図７に示すように、矩形状の用紙１５の一端側において、一部が折り畳まれた状態となり、折り畳まれた用紙片１５ａの下面の所定部分が接着剤１６により接着状態となっている。
折り畳まれた用紙片１５ａの下面の所定部分で、接着剤１６により接着状態となっている領域は、図７に示す図面のうち一点鎖線で示されている領域である。
矩形状の第１の用紙１５は、２つの折り部１９ａ，１９ｂにより、３つの用紙片１５ａ，１５ｂ，１５ｃに区分けされる。
【００２５】
上側に重ねられている用紙片１５ａ内の所定領域部１７の外形部分に沿って、その一部を除いて囲い込む状態で切り込まれた切り込み部２０と、前記所定領域部１７の外形部分に沿って、その一部において用紙片１５ａ内で連接されている切り取りミシン目からなる連接部２１と、を有している。
切り取りミシン目からなる連接部２１は、所定領域部１７に対して折り部１９ｂ側に設けられている。
また、用紙片１５ａの所定領域部１７の裏面は、用紙片１５ｂの上面側と接着されていない状態で重ね合わされている。
用紙片１５ａの所定領域部１７には、切り取りミシン目からなる連接部２１から所定間隔をあけて切り取り用ミシン２２が形成されている。
また、切り取りミシン目からなる連接部２１から切り取り用ミシン２２までの間の接続領域には、剥離可能な接着領域が設けられており、折り畳み用の折り部１９ｂから用紙１５を折り畳んだ際に、用紙片１５ａの剥離可能な接着領域と重なり合う用紙片１５ｃの上面の領域に、接着後に剥離可能な接着剤２３が設けられている。
また、用紙片１５ｃの上面には、その折り部２側１９ｂを除く外周縁部に、剥離可能な接着剤２４が設けられている。
【００２６】
上記した第２実施形態に係る印刷物１Ｂにおいて、用紙片１５ａは、第１実施形態に係る印刷物１Ａにおける第２の用紙４に該当し、また、用紙片１５ｂは、第１実施形態に係る印刷物１Ａにおける第１の用紙３の用紙片３ａに該当し、また、用紙片１５ｃは、第１実施形態に係る印刷物１Ａにおける第１の用紙３の用紙片３ｂに該当するものである。
第２実施形態に係る印刷物１Ｂでは、所定領域部１７が折り部１９ｂから離れている位置に設けられ、更に、切り取りミシン目からなる連接部２１を有していることから、折り部１９ｂから矩形状の用紙１５を折り曲げて剥離可能な接着剤２３，２４により一旦接着状態にした後に、矩形状の用紙１５を見開いた場合には、切り取りミシン目からなる連接部２１から切り離されて、用紙片１５ａの所定領域部１７が他の用紙部分から自動的に分離させることができる。
そして、分離した用紙片１５ａの所定領域部１７の切り取り用ミシン２２から、接続領域の部分を切り取ることで、所定領域部１７だけを分離させて葉書などとして用いることができる。
【００２７】
また、図９に示すように、第２実施形態に係る印刷物１Ｂの変形例として、用紙片１５ａを別の用紙として、用紙片１５ｂに別の用紙として用紙片１５ａを重ね合わせて接着させるようにしてもよい。
【００２８】
次に、図１０に基づいて、本発明の第３実施形態に係る印刷物１Ｃを以下に説明する。
第３実施形態に係る印刷物１Ｃは、上記した第２実施形態に係る印刷物１Ｂの構成のうち、接着剤１６を設けないで、その代わりに剥離可能な接着剤２５を、用紙１５を折り返し重ね合わせた周縁部分に設けたものである。
したがって、印刷物１Ｃは、用紙片１５ａの所定領域部１７が切り取りミシン目からなる連接部２１から切り取られた後に、用紙片１５ａを用紙片１５ｂから剥離させて見開けるように構成されている。
これにより、印刷物１Ｃは、用紙片１５ｃと用紙片１５ｂの全面に広告などの印刷を施すことができるという効果がある。
【００２９】
また、図１１には、第２実施形態に係る印刷物１Ｂ及び印刷物１Ｃを見開いた場合の状態が示されているが、印刷物を見開くと同時に切り取りミシン目からなる連接部２１から切れて、切り取りミシン目からなる連接部２１から切り取り用ミシン２２までの間の接続領域が、用紙片１５ｃの剥離可能な接着剤２３に一時的に接着されて付着される。
これにより、印刷物を見開いた顧客が、直ぐに所定領域部１７の葉書に気がつくようにしてあり、更に切り取り用ミシン２２から所定領域部１７だけを分離させて葉書などとして用いることができる。
【００３０】
次に、図１２に基づいて、本発明の第４実施形態に係る印刷物１Ｄを以下に説明する。
第４実施形態に係る印刷物１Ｄは、第１実施形態に係る印刷物１Ａの構成に追加して、第２の用紙４上に、該第２の用紙４と同じサイズの用紙２６が重ね合わされ接着され、前記第２の用紙４に形成されている前記切り込み部６及び前記切り取り用ミシン８と重なり合う部分に、切り込み部２７及び切り取り用ミシン２８が形成され、連接部７と重なる部分に連接部２９を重ねたものである。
第２の用紙４上に用紙２６を重ね合わせて接着剤３３で接着することで、分離させる所定領域部５の厚みを厚くさせることができる。
これにより、第２の用紙４の厚みが葉書として用いるには薄い場合でも、その厚さを厚くさせて葉書の仕様に適合させることができる。
尚、所定領域部の厚みを厚くさせる目的で用紙を重ね合わせて接着させる構成は、上記した第１実施形態の他の実施形態においても用いることができる。
【００３１】
次に、図１３に基づいて、本発明の第５実施形態に係る印刷物１Ｅを以下に説明する。
本発明の第５実施形態に係る印刷物１Ｅは、本発明の第４実施形態に係る印刷物１Ｄの構成において、第２の用紙４上に、該第２の用紙４と同じサイズの用紙２６が重ね合わされ接着剤３３で接着され、前記第２の用紙４に形成されている前記切り込み部６及び前記切り取り用ミシン８と重なり合う部分に、切り込み部２７及び切り取り用ミシン２８が形成されている構成において、用紙２６の部分を第２の用紙４の一部分を折り返して構成させることで用紙全体の厚みを増やすようにしたものである。
【００３２】
次に、図１４に基づいて、本発明の第６実施形態に係る印刷物１Ｆを以下に説明する。
本発明の第６実施形態に係る印刷物１Ｆは、本発明の第２実施形態に係る印刷物１Ｂにおいて、所定領域部の厚みを厚くさせる場合の構成が示されている。
印刷物１Ｆでは、矩形状の用紙１５の用紙片１５ａの横幅寸法を長く設定して、丸め込んで用紙が３枚分重なる状態となるようにして、上側の２枚の用紙を接着剤３３で接着状態にした構成を有している。
この場合も、切り込み部２０及び前記切り取り用ミシン２２と重なり合う部分に、切り込み部３０及び切り取り用ミシン３１が形成され、切り取りミシン目からなる連接部２１と重なり合う部分に切り取りミシン目からなる連接部３２が設けられている。
【符号の説明】
【００３３】
１Ａ  第１実施形態に係る印刷物
１Ｂ  第２実施形態に係る印刷物
１Ｃ  第３実施形態に係る印刷物
１Ｄ  第４実施形態に係る印刷物
１Ｅ  第５実施形態に係る印刷物
１Ｆ  第６実施形態に係る印刷物
２，１９ａ，１９ｂ  折り部
３，１５  第１の用紙
３ａ，３ｂ，１５ａ，１５ｂ，１５ｃ  用紙片
４  第２の用紙
５，１７  所定領域部
６，２０，２７，３０  切り込み部
７  連接部
８，２２，２８，３１  切り取り用ミシン
９，１０，１１，２３  剥離可能な接着剤
１６，３３  接着剤
２１  連接部
２６  用紙
【図１】
0005509767.tif 000002
【図２】
0005509767.tif 000003
【図３】
0005509767.tif 000004
【図４】
0005509767.tif 000005
【図５】
0005509767.tif 000006
【図６】
0005509767.tif 000007
【図７】
0005509767.tif 000008
【図８】
0005509767.tif 000009
【図９】
0005509767.tif 000010
【図１０】
0005509767.tif 000011
【図１１】
0005509767.tif 000012
【図１２】
0005509767.tif 000013
【図１３】
0005509767.tif 000014
【図１４】
0005509767.tif 000015